(57)【要約】      （修正有）【課題】地震時における天井への振動や変位を吸収し抑制して天井の崩壊落下を防止することのできる軽量天井に、軽量天井用照明装置を併用させる、照明付き吸振つり天井及び照明付き吸振つり天井の施工方法を提供する。【解決手段】天井スラブ１ａやＨ形鋼１ｂに吊りボルト３を所定の箇所に固定し、軽量天井材と軽量天井材に取り付けられた軽量天井用照明装置５と天井板レール枠で構成された軽量天井板６を差し込む通し野縁８と野縁レール下部部材９と野縁レール上部部材１０が取り付けられ、軽量天井板６を所定の要領で差し込み取り付ける。天井には中央部の固定範囲天井部分と外周部の吸振範囲天井部分を有し、地震時の振動や変位を吸収し抑制を図らせる軽量天井に、これに取り付け構成される軽量天井用照明装置併用軽量天井板６ｂを介在させた。【選択図】図１
2017115300.tif 000002
【特許請求の範囲】
【請求項１】
天井スラブに固定された吊りボルト及び／又は建造物に存在するＨ型鋼から垂下された吊りボルトに直接取り付けられた野縁レールと、
該野縁レールに受けられる少なくとも柔軟性を有する天井材とを有し、
該少なくとも柔軟性を有する天井材には照明装置が取り付けられており、
外周部の壁面と中央部の固定範囲天井部分との間に設けた吸振範囲天井部分の前記天井板により、地震時の振動や変位を吸収する吸振つり天井に於いて、
該天井材には発光素子が取り付けられたものを含み、
該天井材を野縁レールに挿入することにより設置することを特徴とする、
照明付き吸振つり天井。
【請求項２】
該野縁レールは、天井スラブに固定された吊りボルト及び／又は建造物に存在するＨ型鋼から垂下された吊りボルトにより直接固定されることにより強固な天井下地骨組を形成することを特徴とする、
請求項１記載の照明付き吸振つり天井。
【請求項３】
該野縁レールは、一連レールと二連レールで組み合わされていることを特徴とする、請求項１乃至２記載の吸振つり天井。
【請求項４】
該天井材の基材は、粘弾性材質で作られていることを特徴とする、請求項１乃至３記載の照明付き吸振つり天井。
【請求項５】
該天井材の基材は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、或いはグラスファイバーを含む線維類の圧縮材料、のいずれかであることを特徴とする、
請求項４記載の照明付き吸振つり天井。
【請求項６】
該照明付き吸振つり天井に使用する天井板は、
天井材の四方を天井材化粧留め具の野縁レール用留め具と天井材ジョイント留め具とで固定させ構成することを特徴とする、
請求項１乃至５のいずれか一に記載の照明付き吸振つり天井。
【請求項７】
該吸振範囲天井部分は、
該天井板の一方を固定範囲天井部分の野縁レールに差し込み、一方を外周部の壁面に取り付けられた天井板受けアングルの上部に乗せ掛けた吸振天井部分で構成することを特徴とする、
請求項１乃至６のいずれか一に記載の照明付き吸振つり天井。
【請求項８】
該天井板は、
野縁レールに差し込み取り付けられ固定されるが、非常時には取り外して非常用照明とすることが可能であることを特徴とする、
請求項１乃至７のいずれか一に記載の照明付き吸振つり天井。
【請求項９】
該照明付き吸振つり天井は、
天井材の粘弾性及び吸振範囲天井部分の構成により、天井全部および一部の地震時の水平振動や変位を吸収し抑制を図ることを特徴とする、
請求項１乃至８のいずれか一に記載の照明付き吸振つり天井。
【請求項１０】
該照明付き吸振つり天井は、
天井スラブに固定された吊りボルト及び／又は建造物に存在するＨ型鋼から垂下された吊りボルトに直接野縁レールを取り付けることを特徴とする、
請求項１乃至９のいずれか一に記載の照明付き吸振つり天井。
【請求項１１】
該天井板は、
天井材の四方に天井板レール枠と天井板ジョイント枠を固定させ構成し、中央部の固定範囲天井部分において、天井板レール枠を野縁二連レールの所定の位置から所定の要領で差し込み取り付けられ、天井板ジョイント枠により天井板が連結されることを特徴とする、
請求項１乃至１０のいずれか一に記載の照明付き吸振つり天井。
【請求項１２】
該天井板は、
屋内外周部壁面と中央部の固定範囲天井部分との間に設けた吸振範囲天井部分において、一方向の天井板レール枠を野縁接合部材で構成した野縁一連レールの所定の位置に所定の要領で差し込み取り付けられ、天井受けアングル上部に乗せられた天井板は屋内外周部壁面より所定の隙間を設け、天井板の粘弾性と天井板と屋内外周部壁面の所定の隙間により地震時の振動や変位を吸収し抑制を図るとともに、天井受けアングル上部に乗せられた天井板が屋内外周部壁面から離脱した場合も一方向の天井板レール枠を野縁接合部材で構成した野縁一連レールの所定の位置に所定の要領で差し込み取り付けられた部分により保持されて落下を防止することが出来ることを特徴とする、
請求項１乃至１１のいずれか一に記載の照明付き吸振つり天井。
【請求項１３】
該天井板は、
その一部或いは全部に、天井材に発光素子が取り付けられたものを含み、
該照明装置は平面発光素子であることを特徴とする、
請求項１乃至１２のいずれか一に記載の照明付き吸振つり天井。
【請求項１４】
該平面発光素子は、
エレクトロルミネッセンスにより発光する素子であることを特徴とする、
請求項１３記載の照明付き吸振つり天井。
【請求項１５】
該平面発光素子は、
有機エレクトロルミネッセンス素子であることを特徴とする、
請求項１４記載の照明付き吸振つり天井。
【請求項１６】
該天井板は、
さらに、一部の天井板に補助照明装置を備えることを特徴とする、
請求項１乃至１５のいずれか一に記載の照明付き吸振つり天井。
【請求項１７】
該補助照明装置は、
ＬＥＤ素子であることを特徴とする、
請求項１６記載の照明付き吸振つり天井。
【請求項１８】
該照明付き吸振つり天井は、
該平面発光素子或いは補助照明装置以外に、天井板に設置しない照明装置を備え、
該天井板に設置しない照明装置を取り付ける際、照明器具取付用部材を直接吊りボルトに強固に接合し、照明装置を照明器具取付用部材に直接吊るすことを特徴とする、
請求項１乃至１７のいずれか一に記載の照明付き吸振つり天井。
【請求項１９】
該天井板に設置しない照明装置は、
白熱灯、蛍光灯、無電極ランプ、ハロゲンランプ、メタルハライドランプ、ＬＥＤ素子又はエレクトロルミネッセンス素子であることを特徴とする、
請求項１８記載の照明付き吸振つり天井。
【請求項２０】
該照明付き吸振つり天井は、
屋内外周部壁面と中央部の固定範囲天井部分との間に設けた吸振範囲天井部分に配設される天井受けアングルに直接取り付けられる付加照明装置を備えることを特徴とする、
請求項１乃至１９のいずれか一に記載の吸振つり天井。
【請求項２１】
該付加照明装置は、
白熱灯、蛍光灯、無電極ランプ、ハロゲンランプ、メタルハライドランプ、ＬＥＤ素子又はエレクトロルミネッセンス素子であることを特徴とする、
請求項２０記載の照明付き吸振つり天井。
【請求項２２】
天井スラブに固定された吊りボルト及び／又は建造物に存在するＨ型鋼から垂下された吊りボルトに直接取り付けられた野縁レールと、
該野縁レールに受けられる少なくとも柔軟性を有する天井材とを有し、
該少なくとも柔軟性を有する天井材には発光素子が取り付けられており、
外周部の壁面と中央部の固定範囲天井部分との間に設けた吸振範囲天井部分の前記天井板により、地震時の振動や変位を吸収する吸振つり天井に於いて、
該天井材には照明装置が取り付けられたものを含み、
該天井材を野縁レールに挿入することにより設置する吸振つり天井に於いて、
該天井材に取り付けられる照明装置は平面発光素子であり、
該天井材には該平面発光素子を設置するための開口部が穿設されてあり、
該開口部は該天井材の厚み方向に於いて段階状の構造を有し、
該開口部の上段部は設置される平面発光素子のサイズに一致或いはこれより大きく設定されて、
該開口部の下段部は設置される平面発光素子のサイズより小さく設定され、
該平面発光素子は該開口部に載置するように設置されることを特徴とする、
照明付き吸振つり天井。
【請求項２３】
該平面発光素子は、
該天井材の開口部に於いて、接着剤により固定設置されることを特徴とする、
請求項２２記載の照明付き吸振つり天井。
【請求項２４】
該平面発光素子は、
該天井材の開口部に於いて、金具により固定設置されることを特徴とする、
請求項２２記載の照明付き吸振つり天井。
【請求項２５】
天井スラブに固定された吊りボルト及び／又は建造物に存在するＨ型鋼から垂下された金具に直接取り付けられた野縁レールと、
該野縁レールに受けられる少なくとも柔軟性を有する天井材とを有し、
該少なくとも柔軟性を有する天井材には発光素子が取り付けられており、
外周部の壁面と中央部の固定範囲天井部分との間に設けた吸振範囲天井部分の前記天井板により、地震時の振動や変位を吸収する吸振つり天井に於いて、
該天井材には照明装置が取り付けられたものを含み、
該天井材を野縁レールに挿入することにより設置する吸振つり天井に於いて、
該天井材に取り付けられる照明装置は平面発光素子であり、
該天井材には該平面発光素子を設置するために貫通孔が穿設されてあり、
該平面発光素子は固定用部品を備えてなり、
該固定用部品の一部は該貫通孔を貫通して天井裏側に達し、天井裏側に於いて固定或いは変形されることにより該平面発光素子が該天井材に固定設置されることを特徴とする、
照明付き吸振つり天井。
【請求項２６】
該平面発光素子の天井裏側に於ける固定は、
螺子止めにより行われることを特徴とする、
請求項２５記載の照明付き吸振つり天井。
【請求項２７】
該平面発光素子の天井裏側に於ける固定は、
固定用部品の一部を天井材の平板方向に屈曲せしめる事により行われることを特徴とする、
請求項２５記載の照明付き吸振つり天井。
【請求項２８】
該照明装置の駆動回路は、
天井スラブに固定された吊りボルト及び／又は建造物に存在するＨ型鋼から垂下された吊りボルト、或いは、該吊りボルトに直接取り付けられた野縁レールに、固定設置されることを特徴とする、
請求項１乃至２７のいずれか一に記載の照明付き吸振つり天井。
【請求項２９】
該天井板は、
該照明装置を組み込んだものも含めてその重量が１平方メートル当たりに換算して２キログラム以下であることを特徴とする、
請求項１乃至２８のいずれか一に記載の照明付き吸振つり天井。
【請求項３０】
請求項１乃至２９に記載のいずれかの照明付き吸振つり天井を用いた、照明付き吸振つり天井の施工方法。
【発明の詳細な説明】
【技術分野】
【０００１】
本発明は、地震時における天井の振動や変位を吸収して天井の崩壊落下を防止し、安全性を向上することのできる吸振つり天井に関し、特に照明を組み込んだ照明付き吸振つり天井及び照明付き吸振つり天井の施工方法に関する。
【背景技術】
【０００２】
現在、建築物の天井仕上げ工事においては、住宅または特殊木造建築物等以外のほとんどの天井が「つり天井」仕上げ工事を主流としている。またその構成は、軽量スチール下地骨組不燃ボード天井の組み合わせが、コスト面における長期に渡る改善改良の結果最も低価格であると考えられ、主流となっている。かかる構成の天井はショッピングセンター・映画館・コンサートホール・体育館・公民館・消防署・警察署・工場・倉庫等と民間、公共に多く施工されている。
【０００３】
従来、「つり天井」は、天井部分の下地骨組の下端に石こうボードをビスで固定し、金属の棒でつり下げる建築手法で、ショッピングセンター・体育館等の大勢の人々が使用する建築物に施工されているが、構造としては非構造部材としての見解で、設計の段階で耐震性についての検討はほとんどされておらず、大地震の際は崩壊して人的被害をもたらす危険性があると指摘されていた。
【０００４】
現実に、近年日本で２００５年８月１６日発生した宮城沖地震により、３１人が重軽傷を負った仙台市の屋内プールの天井が落下した事故以降、天井の耐震性に、大きな関心が寄せられ、また、２００７年３月２５日に発生した能登半島地震においても、避難所になるはずの体育館等で天井落下の被害が報告された。
【０００５】
そうした時期に発生した東日本大震災では、地震とそれによる津波によって多大な被害を受け、天井落下による事故報告が数多く発表され、改めて天井の落下防止対策が必要不可欠となり、早急に対策案を発案し、解決しなければならない。
【０００６】
近年の天井落下防止対策開発の沿革は、東日本大震災において多数の建築物の天井が脱落し、かつてない規模で甚大な被害が生じたことにより、以下の機関から天井の危険性について公式発表されており、有識者からは「天井板に対して軽く柔らかいものにする新しい視点が必要」との意見が寄せられた。
【０００７】
現在、建築物の天井仕上げ工事においては、特殊木造建築物等以外のほとんどの天井が「石膏ボードつり天井及び鋼製照明器具」仕上げ工事を主流としている。またその構成は、軽量スチール下地骨組に石膏ボードの組み合わせが主流で天井重量は１平方メートル当たり平均１５ｋｇとなっている。この構成の天井はショッピングセンター・映画館・コンサートホール・体育館・公民館・消防署・警察署・工場・倉庫等と民間、公共に多く施工されている。
【０００８】
各機関の発表には、学校施設等を管理する文部科学省の調査研究協力会が発表した天井耐震改修の手引き「撤去・再設置・補強・落下防止ネット等設置」や有識者団体の日本建築学会の特別調査委員会がHPに掲載した天井等の非構造材の落下事故防止ガイドライン「天井材の軽量・柔軟化、フェイルセーフ対策案としての落下防止ネットや落下防止ワイヤーの設置」などがあり、これらを受けて建築基準法を司る国土交通省が平成２４年７月３１日から９月１９日に「建築物における天井脱落対策試案」に関する指針を提案してパブリックコメントを募集した。
【０００９】
これらの公表発表と共に急速に天井脱落対策試案が示され、国土交通省は平成２６年４月１日に建築基準法施行令「特定天井及び特定天井の構造耐力上安全な構造工法を定める件（昭和２５年国土交通省告示第７７１号、他）」の天井脱落防止対策に係わる法改正を施行した。
【００１０】
天井脱落防止対策に係わる法改正に於ける特定天井（天井の質量２ｋｇ／ｍ2超２０ｋｇ／ｍ2以下）の検証ルート（仕様・計算）を適用する耐震性吊天井（他社大臣認定製品）では、過去の吊天井の施工に対して約４倍の工事期間と数倍のコストアップが生じ、今後の建築設計において大きな問題となっている。
【００１１】
本発明にかかる照明付き吸振つり天井及び照明付き吸振つり天井の施工方法は、国土交通省が定めた建築基準法施行令の「建築物における天井脱落対策の対象となる天井と検証ルート」の新築の建築物、既存天井の改修における特定天井で検証ルートを省かれる「その他の天井」に属し、確認申請提出時に「設計者の判断による安全を確保」のみの申請で受付出来る。
【００１２】
崩壊防止策において最も必要な課題は、在来の「つり天井」に変わる新しい天井の構成を提案することであり、さらにかかる構成は施工の迅速且つ簡易性及び経済的に負担のかからない価格設定であることが望ましい。
【００１３】
本発明にかかる照明付き吸振つり天井及び照明付き吸振つり天井の施工方法は、かかる課題を解決するものである。ここで、照明付き吸振つり天井の開発に於いては、天井重量が１平方メートル当たり２ｋｇ以下の軽量天井を完成するための軽量天井用照明装置及びその設置方法が重要である。
【先行技術文献】
【特許文献】
【００１４】
【特許文献１】特開２００３ー１２００４５号公報
【特許文献２】特開２００９ー１６７７３７号公報
【特許文献３】特許第５２３８０９１号公報
【発明の概要】
【発明が解決しようとする課題】
【００１５】
本発明が解決しようとする課題は、地震時に天井の崩壊落下を防止し、人的被害を起こさない照明付き吸振つり天井を実現することである。
【００１６】
そのためには、従来の従来の石膏ボードと鋼製照明器具のつり天井の概念を捨て、今までとは異なるつり天井の開発が求められる。
【００１７】
そこで、本発明の目的は、地震時における天井への振動や変位を吸収し抑制して天井の崩壊落下を防止することのできる照明付き吸振つり天井及び照明付き吸振つり天井の施工方法を提供することにある。
【課題を解決するための手段】
【００１８】
前記目的を達成するため、本発明にかかる吸振つり天井は、天井スラブに固定された吊りボルト及び／又は建造物に存在するＨ型鋼から垂下された吊りボルトに直接取り付けられた野縁レールと、該野縁レールに受けられる少なくとも柔軟性を有する天井材とを有し、該少なくとも柔軟性を有する天井材には照明装置が取り付けられており、外周部の壁面と中央部の固定範囲天井部分との間に設けた吸振範囲天井部分の前記天井板により、地震時の振動や変位を吸収する吸振つり天井に於いて、該天井材には発光素子が取り付けられたものを含み、該天井材を野縁レールに挿入することにより設置することを特徴とする、照明付き吸振つり天井を構成し、かかる構成により地震時の振動や変位を吸収し抑制を図ることのできる照明付き吸振つり天井を実現するものである。
【００１９】
また本発明においては、該野縁レールは、天井スラブに固定された吊りボルト及び／又は建造物に存在するＨ型鋼から垂下された吊りボルトにより直接固定されることにより強固な天井下地骨組を形成することを特徴とする。
【００２０】
また本発明においては、該野縁レールは、一連レールと二連レールで組み合わされていることを特徴とする。
【００２１】
また本発明においては、該天井材の基材は、粘弾性材質で作られていることを特徴とし、具体的には合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、或いはグラスファイバーを含む線維類の圧縮材料、のいずれかであることを特徴とする。
【００２２】
また本発明においては、該照明付き吸振つり天井に使用する天井板は、天井材の四方を天井材化粧留め具の野縁レール用留め具と天井材ジョイント留め具とで固定させ構成することを特徴とする。
【００２３】
また本発明においては、該吸振範囲天井部分は、該天井板の一方を固定範囲天井部分の野縁レールに差し込み、一方を外周部の壁面に取り付けられた天井板受けアングルの上部に乗せ掛けた吸振天井部分で構成することを特徴とする。
【００２４】
また本発明においては、該天井板は、野縁レールに差し込み取り付けられ固定されるが、非常時には取り外して非常用照明とすることが可能であることを特徴とする。
【００２５】
また本発明においては、該照明付き吸振つり天井は、天井材の粘弾性及び吸振範囲天井部分の構成により、天井全部および一部の地震時の水平振動や変位を吸収し抑制を図ることを特徴とする。
【００２６】
また本発明においては、該照明付き吸振つり天井は、天井スラブに固定された吊りボルト及び／又は建造物に存在するＨ型鋼から垂下された吊りボルトに直接野縁レールを取り付けることを特徴とする。
【００２７】
また本発明においては、該天井板は、天井材の四方に天井板レール枠と天井板ジョイント枠を固定させ構成し、中央部の固定範囲天井部分において、天井板レール枠を野縁二連レールの所定の位置から所定の要領で差し込み取り付けられ、天井板ジョイント枠により天井板が連結されることを特徴とする。
【００２８】
また本発明においては、該天井板は、屋内外周部壁面と中央部の固定範囲天井部分との間に設けた吸振範囲天井部分において、一方向の天井板レール枠を野縁接合部材で構成した野縁一連レールの所定の位置に所定の要領で差し込み取り付けられ、天井受けアングル上部に乗せられた天井板は屋内外周部壁面より所定の隙間を設け、天井板の粘弾性と天井板と屋内外周部壁面の所定の隙間により地震時の振動や変位を吸収し抑制を図るとともに、天井受けアングル上部に乗せられた天井板が屋内外周部壁面から離脱した場合も一方向の天井板レール枠を野縁接合部材で構成した野縁一連レールの所定の位置に所定の要領で差し込み取り付けられた部分により保持されて落下を防止することが出来ることを特徴とする。
【００２９】
また本発明においては、該天井板は、その一部或いは全部に、天井材に発光素子が取り付けられたものを含み、該照明装置は平面発光素子であることを特徴とする。
【００３０】
さらに本発明においては、平面発光素子は、エレクトロルミネッセンスにより発光する素子であることを特徴とし、さらに該平面発光素子は、有機エレクトロルミネッセンス素子であることを特徴とする。
【００３１】
また本発明においては、該天井板は、さらに、一部の天井板に補助照明装置を備えることを特徴とし、さらに該補助照明装置は、ＬＥＤ素子であることを特徴とする。
【００３２】
また本発明においては、該照明付き吸振つり天井は、該平面発光素子或いは補助照明装置以外に、天井板に設置しない照明装置を備え、該天井板に設置しない照明装置を取り付ける際、照明器具取付用部材を直接吊りボルトに強固に接合し、照明装置を照明器具取付用部材に直接吊るすことを特徴とする。さらに本発明においては該天井板に設置しない照明装置は、白熱灯、蛍光灯、無電極ランプ、ハロゲンランプ、メタルハライドランプ、ＬＥＤ素子又はエレクトロルミネッセンス素子であることを特徴とする。
【００３３】
また本発明においては、該照明付き吸振つり天井は、屋内外周部壁面と中央部の固定範囲天井部分との間に設けた吸振範囲天井部分に配設される天井受けアングルに直接取り付けられる付加照明装置を備えることを特徴とする。さらに本発明においては該付加照明装置は、白熱灯、蛍光灯、無電極ランプ、ハロゲンランプ、メタルハライドランプ、ＬＥＤ素子又はエレクトロルミネッセンス素子であることを特徴とする。
【００３４】
また本発明においては、天井スラブに固定された吊りボルト及び／又は建造物に存在するＨ型鋼から垂下された吊りボルトに直接取り付けられた野縁レールと、該野縁レールに受けられる少なくとも柔軟性を有する天井材とを有し、該少なくとも柔軟性を有する天井材には発光素子が取り付けられており、外周部の壁面と中央部の固定範囲天井部分との間に設けた吸振範囲天井部分の前記天井板により、地震時の振動や変位を吸収する吸振つり天井に於いて、該天井材には照明装置が取り付けられたものを含み、該天井材を野縁レールに挿入することにより設置する吸振つり天井に於いて、該天井材に取り付けられる照明装置は平面発光素子であり、該天井材には該平面発光素子を設置するための開口部が穿設されてあり、該開口部は該天井材の厚み方向に於いて段階状の構造を有し、該開口部の上段部は設置される平面発光素子のサイズに一致或いはこれより大きく設定されて、該開口部の下段部は設置される平面発光素子のサイズより小さく設定され、該平面発光素子は該開口部に載置するように設置されることを特徴とする。
【００３５】
さらに本発明においては、該平面発光素子は、該天井材の開口部に於いて、接着剤により固定設置されることを特徴とする。或いは本発明においては、該平面発光素子は、該天井材の開口部に於いて、金具により固定設置されることを特徴とする。
【００３６】
また本発明においては、天井スラブに固定された吊りボルト及び／又は建造物に存在するＨ型鋼から垂下された吊りボルトに直接取り付けられた野縁レールと、該野縁レールに受けられる少なくとも柔軟性を有する天井材とを有し、該少なくとも柔軟性を有する天井材には発光素子が取り付けられており、外周部の壁面と中央部の固定範囲天井部分との間に設けた吸振範囲天井部分の前記天井板により、地震時の振動や変位を吸収する吸振つり天井に於いて、該天井材には照明装置が取り付けられたものを含み、該天井材を野縁レールに挿入することにより設置する吸振つり天井に於いて、該天井材に取り付けられる照明装置は平面発光素子であり、該天井材には該平面発光素子を設置するために貫通孔が穿設されてあり、該平面発光素子は固定用部品を備えてなり、該固定用部品の一部は該貫通孔を貫通して天井裏側に達し、天井裏側に於いて固定或いは変形されることにより該平面発光素子が該天井材に固定設置されることを特徴とする。
【００３７】
また本発明においては、該平面発光素子の天井裏側に於ける固定は、螺子止めにより行われることを特徴とする。或いは本発明においては、該平面発光素子の天井裏側に於ける固定は、固定用部品の一部を天井材の平板方向に屈曲せしめる事により行われることを特徴とする。
【００３８】
また本発明においては、該照明装置の駆動回路は、天井スラブに固定された吊りボルト及び／又は建造物に存在するＨ型鋼から垂下された吊りボルト、或いは、該吊りボルトに直接取り付けられた野縁レールに、固定設置されることを特徴とする。
【００３９】
また本発明においては、該天井板は、該照明装置を組み込んだものも含めてその重量が１平方メートル当たりに換算して２キログラム以下であることを特徴とする。
【００４０】
また本発明は、かかる照明付き吸振つり天井を用いた、照明付き吸振つり天井の施工方法である。
【００４１】
本発明によれば、外周部の壁面と中央部の固定範囲天井部分との間に設けた吸振範囲天井部分の前記天井板により、地震時の振動や変位を吸収し抑制を図らせることができる照明付き吸振つり天井及び照明付き吸振つり天井の施工方法が実現される。
【００４２】
また、本発明によれば、吊りボルトとナットによって直接野縁レールを強固に取り付け、天井下地骨組を簡素にし、少なくとも柔軟性を有する、一部には照明を組み込んだ天井板を用いることにより、地震時の天井の崩壊落下を防止し、人的被害を無くすことができる照明付き吸振つり天井及び照明付き吸振つり天井の施工方法が実現される。
【００４３】
このような構成とすることにより、照明付き吸振つり天井及び照明付き吸振つり天井の施工方法に於いても、本来の「つり天井」の崩壊落下の最も大きな原因である天井下地骨組の天井吊りボルトと野縁受けを繋ぐハンガーと野縁受けと野縁を結合するクリップの破損破壊外れが無くなり、軽量なので施工要領も簡素化が可能となり、経済的にも有利となる。
【００４４】
また、本発明において、照明付き吸振つり天井及び照明付き吸振つり天井の施工方法に於いても、「つり天井」の天井スラブに固定された吊りボルト及び／又は建造物に存在するＨ型鋼から垂下された吊りボルトと野縁レールはボルトによって強固に取り付けられ、所定の要領で差し込み取り付けられた柔軟性を有し、主に粘弾性材の前記天井板は、天井材の四方を天井材化粧留め具と野縁レール用留め具と天井材エッジ留め具とで固定させ構成することで、天井全体が軽量化され、また柔軟性或いは粘弾性素材による部材を使用することにより崩壊落下を防止し、人的被害を無くすことができる。
【００４５】
このような構成とすることにより、予測のつかない大地震時に天井板が万が一激しい振動によって落下した際も、全体が柔軟あるいは粘弾性であり且つ軽量のため、人的被害を最小限にとどめることができる。
【００４６】
また、本発明において、前記野縁レールは、使用形態に応じて一連レールと二連レールの組み合わせで構成されており、外周部の壁面に直接取り付けられた一連レーンと中央部の二連レールの小口部分に垂直に取り付けられた一連レーンと、中央部の固定範囲天井部分の一方向に平行に配列された二連レールとの組み合わせで構成されている。
【００４７】
このように外周部の吸振範囲天井部分と中央部の固定範囲天井部分を独立に構成することにより、中央部の固定範囲天井部分に地震時よって発生した水平面上の揺れを吸収することができ、天井の崩壊落下を防止することができる。
【００４８】
また、万が一地震等により停電が発生しても、該天井板は野縁レールに差し込み取り付けられ固定されているるが、非常時にはこれを取り外して乾電池等を用いて非常用照明とすることが可能である。
【発明の効果】
【００４９】
本発明の照明付き吸振つり天井及び照明付き吸振つり天井の施工方法に於いては、天井スラブ１ａやＨ形鋼１ｂに吊りボルト３を所定の箇所に固定し、通し野縁８と野縁レール下部部材９にナットによって直接強固に固定されているため、従来の「つり天井」の崩壊落下の最も大きな原因である天井下地骨組の天井吊りボルトと野縁受けを繋ぐハンガーと野縁受けと野縁を結合するクリップの破損破壊外れが無くなり、軽量粘弾性天井板７に取付けられた天井板レール枠７を差し込み取り付けることで、天井板の地震時の振動や変位にも落下を防ぎ、主に粘弾性の軽量天井板を用いることにより地震時の天井全部および一部の崩壊落下を防止し、人的被害を無くすことができ、軽量なので施工要領も簡素化が可能となり、経済的にも有利となる。
【００５０】
本発明の照明付き吸振つり天井及び照明付き吸振つり天井の施工方法に於いては、外周部の壁面２に天井板受けアングルを直接取り付け、第一吊りボルトに野縁一連レール接合部材７を所定の箇所に固定し外周部の吸振範囲部分１２を形成し、野縁一連レール接合部材７より中央部部分に固定範囲天井部分１１が形成され、軽量天井に軽量天井用照明装置を取り付け固定させた軽量天井用照明装置併用軽量天井板を、四方に天井板レール枠７ａと天井板ジョイント枠７ｂを固定し構成した軽量天井板を差し込み取り付けることで、軽量天井板の地震時の振動や変位にも落下を防ぎ、柔軟性を有する主に粘弾性の天井用照明装置併用軽量天井板よって、天井全部および一部の地震時の振動や変位を吸収し抑制を図ることができ、よって天井の崩壊落下を防ぐことができる。
【００５１】
本発明の照明付き吸振つり天井及び照明付き吸振つり天井の施工方法に於いては、天井板として、柔軟性を有する主に粘弾性材質に不燃防水シートを接着剤での貼り付けや不燃塗装の着色が構成されるため、下部の不燃化粧シートや不燃塗装の材質・柄・色等のデザインが多彩に演出できることが大きな特徴である。
【００５２】
本発明の照明付き吸振つり天井及び照明付き吸振つり天井の施工方法に於いては、軽量天井の天井伏せ計画を事前に設計することにより、天井板を規格形状に成型ができ、照明や空調などの設備機器の配置も容易に計画ができ、迅速に施工することにより将来の品質向上や経済的価格にも貢献し、また備えられる照明装置も自由なデザインが可能となり、天井板及び照明装置の色彩柄等の変化で今までに無い斬新な「つり天井」が実現できる。
【００５３】
本発明の照明付き吸振つり天井及び照明付き吸振つり天井の施工方法に於いは、平成２６年４月１日に施行された建築基準法施行令（国土交通省告示７７１号）改正に定められている特定天井外の「その他の天井」に属し、照明を含めた天井全体の構成が天井脱落対策の対象となる天井となるため、検証ルートが不要になり、そのため設計者による安全確保の判断のみで確認申請ができるという大きな強みを持っている。
【図面の簡単な説明】
【００５４】
【図１】照明付き吸振つり天井の見上げ図例である。
【図２】ＡーＡ断面図である。
【図３】ＡーＡ側面図である。
【図４】ＢーＢ断面図である。
【図５】ＢーＢ側面図である。
【図６】照明付き吸振つり天井伏せ計画図例である。
【図７】固定範囲天井部分である。
【図８】吸振範囲天井部分である。
【図９】軽量天井板詳細図である。
【図１０】ＣーＣ断面図である。
【図１１】ＤーＤ断面図である。
【発明を実施するための最良の形態】
【００５５】
以下、本発明の実施の形態について、図面を参照して説明する。
【実施例】
【００５６】
図１乃至図１１は、本発明の一実施形態に係る照明付き吸振つり天井及び照明付き吸振つり天井の施工方法を示し、またこれにに取り付け構成される照明付き吸振つり天井用照明装置組み込み天井板を示す図である。
【００５７】
図１は、本実施の形態に係る照明付き吸振つり天井の見上げ図例で、天井スラブ１ａやＨ形鋼１ｂと壁面２に、つり部材と、野縁レールと、天井板などを有している。ここで、本発明にかかる天井材と天井板枠と接着剤の材質については前記の通りである。
【００５８】
天井を吊る吊り部材の吊りボルト３は、ネジ山径約９．０ｍｍのボルト使用し、天井スラブ１ａやＨ形鋼１ｂに天井伏せ計画図の所定の位置に取り付けられた天井インサートに固定され保持した。
【００５９】
吊りボルトは、所定の長さで吊られナットで通し野縁８と野縁レール下部部材９と野縁上部部材１０を上下に挟んで強固に連結した。
【００６０】
吊りボルトの所定の長さは、野縁レールの下端にレベルを揃え、天井高さを基準に均一に取り付けた。
【００６１】
通し野縁８と野縁レール下部部材９と野縁上部部材１０は、図４に示すように三つの野縁レール部材によって構成され、吊りボルト３を貫通しナットで上下に挟んで強固に連結されている。
【００６２】
通し野縁８と野縁レール下部部材９と野縁上部部材１０に貫通した吊りボルト３は、所定の天井高さに調整されナットによって強固に連結されている。
【００６３】
吊りボルト３と通し野縁８と野縁レール下部部材９と野縁上部部材１０で構成された天井下地骨組は図１のように一片方向に図６の天井伏せ計画図例の所定の間隔で平行に取り付けられる。
【００６４】
吊りボルト３と通し野縁８と野縁レール下部部材９と野縁上部部材１０で構成された天井下地骨組は、照明付き吸振つり天井伏せ計画図例（図６、図７、図８参照）の所定の範囲に、固定範囲天井部分１１と吸振範囲天井部分１２を形成するした。
【００６５】
照明付き吸振つり天井伏せ計画図例（図６、図７参照）で形成された固定範囲天井部分１１に、照明付き吸振つり天井材４に照明付き吸振つり天井用照明装置５ａ（図９、図１０参照）のサイズを考慮し、段付きの開口を空け落下しないようにずれ防止用切欠き１３を有し、接着剤と押さえ附属材１４で取り付ける固定した。なお、接着剤は必ずしも必要ない。ここで、本実施例に於いては照明装置としては平面照明である有機エレクトロルミネッセンス素子を用いたが、他の照明素子を用いても問題ない。
【００６６】
また、他の部分に於いて、照明付き吸振つり天井伏せ計画図例（図６、図７参照）で形成された固定範囲天井部分１１に、照明付き吸振つり天井材４に照明付き吸振つり天井用照明装置５ｂ（図９、図１１参照）に取り付けた通す金物を通し、天井板裏で留め附属材１５によって固定した。なお、天井板裏の留め附属材は螺子止め或いは屈曲させた部分の継 止部材などが好適に用いられる。
【００６７】
照明付き吸振つり天井用照明装置を組み込んだ天井板５（図６、図１０、図１１参照）は、災害時に取り外し、乾電池を取り付け簡易携帯照明として使用することができる。
【００６８】
工場内で生産される固定範囲天井部分１１の規格寸法照明付き吸振つり天井板６は、不燃防水シートを接着剤での貼り付けや不燃塗装の着色が構成されるため、少なくとも柔軟性を有する部材を使用し、主に粘弾性材質の部材を使用するため、変位に対応し亀裂破壊がなく、軽量である。ここで、本発明にかかる照明付き吸振つり天井用天井板は、天井板が照明装置を組み込んだものも含めてその重量が１平方メートル当たりに換算して２キログラム以下となるようにした。
【００６９】
照明付き吸振つり天井用天井板６は、柔軟性を有する主に粘弾性材質の部材で、下部の仕上げ不燃化粧シートや不燃塗装の材質・柄・色等のデザインが多彩に演出できることが大きな特徴である。併せて、吸振つり天井用照明装置に関しても開口部の形状・色等のデザインが多彩に演出できることが大きな特徴である。
【００７０】
照明付き吸振つり天井用天井板６ｂの最大な特長は、工業内での生産となり、固定範囲天井部分１１の規格照明付き吸振つり天井板６は生産ストックができ経済的であり、照明付き吸振つり天井用照明装置５も工場取り付けとなり、下部の不燃化粧シートや不燃塗装のスタンダードデザインは先行仕上げが可能なためと生産効率を高め、注文デザインシート可能となる。
【００７１】
照明付き吸振つり天井用天井板６ｂを有する照明付き吸振つり天井の天井伏せ計画を事前に設計することにより、照明付き吸振つり天井用天井板６を規格形状に成型ができ、照明や空調などの設備機器の配置も容易に計画ができ、迅速に施工することにより将来の品質向上や経済的価格にも貢献し、照明付き吸振つり天井用照明装置５も自由なデザインが可能となり、天井板の色彩柄等の変化で今までに無い斬新な「つり天井」が実現できる。
【００７２】
照明付き吸振つり天井に取り付け構成される照明付き吸振つり天井用天井板６ｂは、平成２６年４月１日に施行する建築基準法施行令（国土交通省告示７７１号）改正に定められている特定天井外の「その他の天井」に属し、天井脱落対策の対象となる天井と検証ルートが不要になり、そのため設計者による安全確保の判断のみで確認申請ができ大きな強みを持っている。
【００７３】
ここで、本発明にかかる照明付き吸振つり天井に於いては、照度を向上させるために一部の天井板に補助照明装置を備えることも有効であり、該補助照明装置としては特にＬＥＤ素子が好適に用いられる。また、同様の目的で平面発光素子或いは補助照明装置以外に、天井板に設置しない照明装置を備え、該天井板に設置しない照明装置を取り付ける際、照明器具取付用部材を直接吊りボルトに強固に接合し、照明装置を照明器具取付用部材に直接吊るすことも有効であり、該天井板に設置しない照明装置としては、白熱灯、蛍光灯、無電極ランプ、ハロゲンランプ、メタルハライドランプ、ＬＥＤ素子又はエレクトロルミネッセンス素子が好適に用いられる。さらに、同様の目的で屋内外周部壁面と中央部の固定範囲天井部分との間に設けた吸振範囲天井部分に配設される天井受けアングルに直接取り付けられる付加照明装置を備えることも有効であり、該付加照明装置としては、白熱灯、蛍光灯、無電極ランプ、ハロゲンランプ、メタルハライドランプ、ＬＥＤ素子又はエレクトロルミネッセンス素子が好適に用いられる。
【産業上の利用可能性】
【００７４】
在来の「石膏ボードつり天井及び鋼製照明器具」の地震時の崩壊防止策の対応施工要領には、国土交通省が２００１年に技術指針で作成した、第一に壁とつり天井の間に隙間を設け、横揺れでの損傷を防ぐ、第二につり天井の揺れを抑えるために下地骨組を補強材でつなぐ、といった耐震補強重視の対策案であるが、前記の崩壊防止施工方法では、工事が大規模になり、経済的に負担が大きくなるため、各自治体の施設の対応が遅れているのが現状である。
【００７５】
本発明の照明付き吸振つり天井及び照明付き吸振つり天井の施工方法は、従来の「石膏ボードつり天井及び鋼製照明器具」の概念を捨て、今までとは異なる軽量つり天井及び照明付き吸振つり天井用照明装置併用照明付き吸振つり天井板の開発により、前記の国土交通省の技術指針耐震補強工事が省かれ、極端に工期短縮が出来、施工要領の簡易性で安全性も高くなり、コスト面でも前記の国土交通省のつり天井に関する技術指針施工よりも減額が見込まれるなど、数多くの問題解決となり国土交通省の新しい制度の対処法として、また民間商業施設等の崩壊危険予知の対策として産業需要が期待できる。
【００７６】
近年日本では宮城沖地震以降断続して起きた地震と東日本大震災により、既設建築物の天井の危険予知崩壊防止策の済んでいない施設が数多くあり、新築建築物の計画においても耐震用天井は必然の考慮であり、今後の「つり天井及び照明器具」の取り付け工法として本発明の照明付き吸振つり天井に取り付け構成される照明付き吸振つり天井用照明装置併用照明付き吸振つり天井板は、産業上の利用可能性は多大である。
【００７７】
照明付き吸振つり天井及び照明付き吸振つり天井の施工方法は、天井板が照明装置を組み込んだものも含めてその重量が１平方メートル当たりに換算して２キログラム以下とすることが出来、平成２６年４月１日に施行する建築基準法施行令（国土交通省告示７７１号）改正に定められている特定天井外の「その他の天井」に属し、天井脱落対策の対象となる天井であり検証ルートが不要になり、そのため設計者による安全確保の判断のみで確認申請ができ大きな強みを持っている。
【００７８】
新建築基準法は、天井の脱落防止措置を規定し、特定天井の構造は、構造耐力上安全なものとして国土交通大臣が定めた構造方法を用いなければならない。本発明の照明付き吸振つり天井用照明装置を有する照明付き吸振つり天井は、これからの日本のシステム天井産業上、利用可能性は十分に見込まれ、国内・海外でも市場があり、産業上の利用価値は多大であると言える。
【符号の説明】
【００７９】
１ａ    天井スラブ
１ｂ    Ｈ形鋼
２      壁面
３      吊りボルト
４      照明付き吸振つり天井材
５      照明付き吸振つり天井用照明装置
６      照明付き吸振つり天井用天井板
７      天井板レール枠
８      通し野縁
９      野縁レール下部部材
１０    野縁レール上部部材
１１    固定範囲天井部分
１２    吸振範囲天井部分
１３    ずれ防止用切欠き
１４    押さえ附属材
１５    留め附属材
１６    軽量LED照明
【図１】
2017115300.tif 000003
【図２】
2017115300.tif 000004
【図３】
2017115300.tif 000005
【図４】
2017115300.tif 000006
【図５】
2017115300.tif 000007
【図６】
2017115300.tif 000008
【図７】
2017115300.tif 000009
【図８】
2017115300.tif 000010
【図９】
2017115300.tif 000011
【図１０】
2017115300.tif 000012
【図１１】
2017115300.tif 000013